(57)【特許請求の範囲】
【請求項１】
両端部にそれぞれフリーホイールを備えた胴体と、この胴体に差し込まれる車軸とを備えるハブと、
前輪を支持するホークに対して組み付けられ、かつ、上下方向に移動可能に備えられる一対のペダルと、
このペダルの移動に伴って前記フリーホイールを回転させる伝達手段とを備え、
この伝達手段が、一対のフリーホイールの外輪に備えられた第一のギアと、
当該一対のフリーホイールの上方にあって当該フリーホイールの回転軸と略平行な回転軸を有する第二のギアと、
前記第一のギアと当該第二のギアとに掛け渡され、かつ、前記ペダルの上下移動により進退されるチェーンとから構成してあり、
前記それぞれのフリーホイールが、前記ペダルの下方に向けた踏み込み動作に伴って前記前輪を自転車を前進させる向きに回転させ、かつ、前記ペダルの上方に向けた移動に伴って当該自転車の前輪を回転させない構成としてあることを特徴とする自転車。
【請求項２】
前輪を支持するホークから自転車の前進方向又は前進方向と反対の側に向けて突き出されるフレームと、このフレームの突き出し端側に一端側を回動可能に組み付けられて他端側を上下方向に回動させる一対のクランクとを備え、一対のペダルをこの一対のクランクの当該他端部にそれぞれ組み付けていることを特徴とする請求項１記載の自転車。
【請求項３】
一対のペダルがそれぞれ、前輪を支持するホークにガイドされて上下方向に移動される一対のスライダに設けられていることを特徴とする請求項１記載の自転車。
【請求項４】
一対のペダルの一方の下方に向けた踏み込み動作に伴って、当該一対のペダルの他方を上方に向けて引き上げさせる当該一対のペダルの連繋手段を備えることを特徴とする請求項１、請求項２又は請求項３記載の自転車。
【請求項５】
一対のペダルのそれぞれを下方に踏み込んだ際に当該ペダルを上方に付勢させる付勢手段が設けてあることを特徴とする請求項１、請求項２又は請求項３記載の自転車。
【発明の詳細な説明】
【０００１】
【発明の属する技術分野】
この発明は、前輪を駆動させて走行する自転車の改良に関し、より詳細には、前輪の両側に備えられた一対のペダルを下方に踏み込むことにより、当該前輪を駆動させて走行する自転車に関する。
【０００２】
【従来の技術】
現在用いられている自転車の多くは、後輪を駆動させて走行する構造とされている。すなわち、かかる後輪駆動の自転車は通例、前輪と後輪との間における通例三角と称される主部の下端部に設けたギアと、後輪のハブに備えられたフリーホイールとの間に、無端状をなすようにチェーンを掛け渡すと共に、前記主部の下端部に設けたギアに自転車の両側から一対のクランクを固定した構成を備えており、このクランクに設けられたペダルを踏み込んで当該クランクをクランク軸を中心に回転させることにより、前記チェーンの走行を通じて自転車を前進させるように後輪を回転、駆動させる構造とされている。
【０００３】
【発明が解決しようとする課題】
しかるに、かかる後輪駆動の自転車にあっては、前輪と後輪との間に前記クランクおよびギアが設けられており、また、当該ギアと後輪のフリーホイールとの間にチェーンを掛け渡すことを要するものであり、これに付随してこの間にチェーンステーやチェーンケースを要するため、前輪と後輪との間の間隔を縮めることに一定の限界を有するものであった。
【０００４】
したがってまた、後輪駆動の自転車はコンパクトに構成し難いものであり、駐輪、運搬などにあたり一定のスペースを要するものであった。このため、一般的なマンションの玄関などにかかる自転車を駐輪することは事実上なし得ないものであり、また、旅行などに際して乗用車にかかる自転車を分解などすることなく積み込むこともまた事実上なしえないものであった。
【０００５】
こうしたことから、駐輪、運搬などに都合が良いように、折畳式とした自転車も用いられているが、後輪駆動とする限り前輪と後輪の間に前記ギア、クランク、チェーンなどが必要となるため、この種の折畳式の自転車はこの前輪と後輪との間で単純には折畳をなすこことができないものであり、この結果、折り畳むための手順、構造が複雑で、また、安価に提供し難いものとなっていた。
【０００６】
ここで、いわゆるオーディナリー型の自転車のように、前輪の車軸にクランクを取り付け、このクランクに設けられたペダルを踏み込んで当該クランクを回転させる前輪駆動方式を採れば、前輪と後輪との間を可能な限り狭めることはできる。
【０００７】
しかし、前輪の車軸に設けられたクランクを当該車軸を中心に回転させるように前記ペダルを踏み込むことは、サドルを前輪と後輪との間に位置付けて自転車の重心がこの間に位置するようにした状態では行い難く、また、だからといって、サドルを前輪の上方に位置付けてしまうと自転車の重心が前輪側に偏り安定した走行をなし得なくなる不都合を生じさせる。また、ペダルが自転車の上方に位置した状態からこのペダルを下方に踏み込むにあたり、自転車の前輪がこのように踏み込まれるペダルが設けられている側と反対の側に振られてしまい、直進走行に支障を生じさせることがあった。
【０００８】
そこでこの発明は、かかる従来の技術の不都合を解消することを目的とする。
【０００９】
また、前輪と後輪との間の間隔をできる限り狭めることのできる構造を持った前輪駆動方式の自転車を、当該前輪と後輪との間に自転車の重心が位置されるようにサドルを位置付けても、前輪を駆動させるペダルの踏み込みに格別の支障を生じさせないように構成することを目的とする。
【００１０】
【課題を解決するための手段】
前記目的を達成するために、請求項１記載の発明では、自転車Ｊを、両端部にそれぞれフリーホイール２３、２３を備えた胴体２１およびこの胴体２１に差し込まれる車軸２２とを備えるハブ２０と、前輪Ｆを支持するホークＨに対して組み付けられ、かつ、上下方向に移動可能に備えられる一対のペダルＰ、Ｐと、このペダルＰの移動に伴って前記フリーホイール２３を回転させる伝達手段Ｄとを備えており、この伝達手段Ｄが、一対のフリーホイール２３，２３の外輪２３ａの外側に備えられた第一のギア２３ｂと、当該一対のフリーホイール２３，２３の上方にあって当該フリーホイール２３の回転軸と略平行な回転軸を有する第二のギア４０と、前記第一のギア２３ｂと当該第二のギア４０とに掛け渡され、かつ、前記ペダルＰの上下移動により進退されるチェーンＣとから構成してあり、前記それぞれのフリーホイール２３、２３が、前記ペダルＰの下方に向けた踏み込み動作に伴って前記前輪Ｆを自転車Ｊを前進させる向きに回転させ、かつ、前記ペダルＰの上方に向けた移動に伴って当該自転車Ｊの前輪Ｆを回転させない構成としてあるものとした。
【００１１】
また、請求項２記載の発明では、請求項１記載の発明にかかる自転車Ｊが、前輪Ｆを支持するホークＨから自転車Ｊの前進方向又は前進方向と反対の側に向けて突き出されるフレーム３０（３０’）と、このフレーム３０（３０’）の突き出し端側に一端側を回動可能に組み付けられて他端３１ａ（３１’ａ）側を上下方向に回動させる一対のクランク３１、３１（３１’、３１’）とを備え、一対のペダルＰ、Ｐをこの一対のクランク３１、３１（３１’、３１’）の当該他端３１ａ（３１’ａ）部にそれぞれ組み付けているものとした。
【００１２】
また、請求項３記載の発明では、請求項１記載の発明にかかる自転車Ｊにおける一対のペダルＰ、Ｐが、前輪Ｆを支持するホークＨにガイドされて上下方向に移動される一対のスライダ８０、８０にそれぞれ設けられているものとした。
【００１３】
また、請求項４記載の発明では、請求項１、請求項２又は請求項３記載の発明にかかる自転車Ｊが、一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを備えるものとした。
【００１４】
また、請求項５記載の発明では、請求項１、請求項２又は請求項３記載の発明にかかる自転車Ｊが、一対のペダルＰ、Ｐのそれぞれを下方に踏み込んだ際に当該ペダルＰを上方に付勢させる付勢手段ｆが設けてある構成のものとした。
【００１５】
【発明の実施の形態】
以下、図１ないし図１５に基づいて、この発明の典型的な実施の形態について説明する。
【００１６】
この実施の形態にかかる自転車Ｊは、両端部にそれぞれフリーホイール２３、２３を備えた胴体２１およびこの胴体２１に差し込まれる車軸２２とを備えるハブ２０と、前輪Ｆを支持するホークＨに対して組み付けられ、かつ、上下方向に移動可能に備えられる一対のペダルＰ、Ｐと、このペダルＰの移動に伴って前記フリーホイール２３を回転させる伝達手段Ｄとを備え、前記それぞれのフリーホイール２３、２３が、前記ペダルＰの下方に向けた踏み込み動作に伴って前記前輪Ｆを自転車Ｊを前進させる向きに回転させ、かつ、前記ペダルＰの上方に向けた移動に伴って当該自転車Ｊの前輪Ｆを回転させない構成としてあるものとした。
【００１７】
したがって、この実施の形態にかかる自転車Ｊによれば、自転車Ｊの前輪Ｆ両側において前記ペダルＰを下方に踏み込むことにより、当該前輪Ｆを自転車Ｊを前進する向きに回転させて、自転車Ｊを前進させることができる。
【００１８】
すなわち、この実施の形態にかかる自転車Ｊによれば、前記一対のペダルＰ、Ｐの一方を踏み込むことにより前記伝達手段Ｄにより前記胴体２１の両端部に設けられたフリーホイール２３の一方を自転車Ｊを前進させる向きに回転させることができ、このフリーホイール２３の回転により前記車軸２２を中心に前記胴体２１ひいてはこの胴体２１に通例スポーク２５により組み付けられている前輪Ｆを自転車Ｊを前進する向きに回転させることができる。また、前記一対のペダルＰ、Ｐの他方を踏み込むことにより前記伝達手段Ｄにより前記胴体２１の両端部に設けられた一対のフリーホイール２３、２３の他方を自転車Ｊを前進させる向きに回転させることができ、このフリーホイール２３の回転により前記車軸２２を中心に前記胴体２１ひいてはこの胴体２１に通例スポーク２５により組み付けられている前輪Ｆを自転車Ｊを前進させる向きに回転させることができる。また、前記一対のペダルＰ、Ｐの上方に向けた移動に伴っては前記伝達手段Ｄにより回転される前記一対のフリーホイール２３、２３により自転車Ｊの前輪Ｆは回転されることがなく、一旦踏み込まれて下方に移動されたペダルＰを下方に向けて再度踏み込めるように当該ペダルＰを上方に移動させるに際して自転車Ｊを前進させる向きへ回転されている前輪Ｆの当該回転が妨げられることはない。
【００１９】
したがってまた、この実施の形態にかかる自転車Ｊによれば、自転車Ｊを前進させるように駆動される前輪Ｆの両側に前記ペダルＰを備えさせ、かつ、この前輪Ｆ側に当該ペダルＰと前記フリーホイール２３とを連絡させる前記伝達手段Ｄを備えさせることができ、この結果、前輪Ｆと後輪との間隔を可能な限り狭めてコンパクトに自転車Ｊを構成させることができる。
【００２０】
また、自転車Ｊを駐輪、運搬などするに際して、当該自転車Ｊの前輪Ｆと後輪とをさらに近接させるような構造を、比較的容易に当該自転車Ｊに適用することができる特長を有する。例えば、図３に示されるように、自転車Ｊのハンドルポスト１１を支持する前パイプ１２とシートポスト１３とを連結させる上パイプ１４に後輪Ｂを支持する後ホークＨを回動可能に組み付けておくことにより、図４に示されるように、自転車Ｊの駐輪などに際してかかる上パイプ１４と後ホークＨとの組み付け位置を中心に後輪Ｂと前輪Ｆが近接されるように、後ホークＨを回動させて自転車Ｊの長さ寸法を比較的簡易な構造をもって小さくすることができる。
【００２１】
また、前輪Ｆの回転は、前記一対のペダルＰ、Ｐを下方に向けて踏み込むことによりなし得ることから、前輪Ｆと後輪Ｂの間に自転車Ｊの重心が位置されるようにサドルを位置付けても、当該前輪Ｆを回転させるためのペダルＰの操作に格別の不都合を生じさせることがなく、したがってまた、自転車Ｊの重心を前輪Ｆ側に偏らせることなく、安定的な走行が確保できるように前輪駆動式の自転車Ｊを構成できる特長を有する。
【００２２】
なお、後輪Ｂは一輪でも、また、二輪として構成してあっても良く、また、前輪Ｆを支持するハブ２０における前記一対のフリーホイール２３、２３が設けられている位置よりも外側にある当該ハブ２０を構成する前記胴体２１の両端部にそれぞれ前輪Ｆを構成する一対の車輪を支持させるなどして、当該前輪Ｆを二輪として構成しても良い。すなわち、この実施の形態にかかる自転車Ｊは、三輪車、四輪車として構成してあっても良い。
【００２３】
また、前記実施の形態にかかる自転車Ｊにあって、前輪Ｆを支持するホークＨから自転車Ｊの前進方向又は前進方向と反対の側に向けて突き出されるフレーム３０（３０’）と、このフレーム３０（３０’）の突き出し端側に一端側を回動可能に組み付けられて他端３１ａ（３１’ａ）側を上下方向に回動させる一対のクランク３１、３１（３１’、３１’）とを備え、一対のペダルＰ、Ｐをこの一対のクランク３１、３１（３１’、３１’）の当該他端３１ａ（３１’ａ）部にそれぞれ組み付けている構成とすることが、この発明の最良の実施の形態の一つとされる。
【００２４】
かかる構成によれば、前輪Ｆの前側から後側に向けて当該後側でペダルＰの組み付けられている他端３１ａ部を回動させるように、または、前輪Ｆの後側から前側に向けて当該前側でペダルＰの組み付けられている他端３１’ａ部を回動させるように、前記フレーム３０（３０’）に対して一対のクランク３１、３１（３１’、３１’）を組みつけることができ、前輪Ｆと後輪Ｂとの間に設けられたサドルに跨がり乗った乗車者が当該ペダルＰを下方に向けて踏み込み易い位置に当該ペダルＰを位置付けることができる。
【００２５】
また、前記実施の形態にかかる自転車Ｊにあって、一対のペダルＰ、Ｐが、前輪Ｆを支持するホークＨにガイドされて上下方向に移動される一対のスライダ８０、８０に設けられている構成とすることが、この発明の最良の実施の形態のさらに他の一つとされる。
【００２６】
かかる構成によれば、前輪Ｆを支持するホークＨを利用して前記一対のペダルＰ、Ｐが上下に規則的に移動できるように、当該ホークＨに当該一対のペダルＰ、Ｐを組み付けることができる。
【００２７】
また、前記各実施の形態にかかる自転車Ｊにあって、ペダルＰの移動に伴ってフリーホイール２３を回転させる伝達手段Ｄが、一対のフリーホイール２３、２３の外輪２３ａの外側に備えられた第一のギア２３ｂと、当該一対のフリーホイール２３、２３の上方にあって当該フリーホイール２３の回転軸と略平行な回転軸を有する第二のギア４０と、前記第一のギア２３ｂと当該第二のギア４０とに掛け渡され、かつ、前記ペダルＰの上下移動により進退されるチェーンＣとから構成してあるものとすることが、この発明の最良の実施の形態のさらに他の一つとされる。
【００２８】
かかる構成によれば、前記ペダルＰを踏み込むことにより、前記チェーンＣを進退させて、このチェーンＣの進退により当該ペダルＰの踏み込み力を前記フリーホイール２３の回転力として伝達することができる。
【００２９】
また、前記各実施の形態にかかる自転車Ｊにあって、一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを備える構成とすることが、この発明の最良の実施の形態のさらに他の一つとされる。
【００３０】
かかる構成によれば、前記一対のペダルＰ、Ｐのうち上方に位置されている一方のペダルＰを踏み込むことにより、先行して踏み込まれて下方に位置されている他方のペダルＰを上方に移動させることができ、再び当該他方のペダルＰを下方に踏み込める位置まで引上げ、戻すことができる。すなわち、かかる構成によれば、前記一対のペダルＰ、Ｐを交互に連続して踏み込みながら、前輪Ｆを回転させて自転車Ｊを前進させることができる。
【００３１】
また、前記連繋手段Ｒとは別に、前記各実施の形態にかかる自転車Ｊにあって、一対のペダルＰ、Ｐのそれぞれを下方に踏み込んだ際に当該ペダルＰを上方に付勢させる付勢手段ｆを備える構成とすることが、この発明の最良の実施の形態のさらに他の一つとされる。
【００３２】
かかる構成によれば、一旦下方に踏み込んだ前記ペダルＰを前記付勢により再び当該ペダルＰを下方に踏み込める位置まで引上げ、戻すことができる。すなわち、かかる構成によれば、前記一対のペダルＰ、Ｐを同時に、あるいは、交互に連続して踏み込みながら、前輪Ｆを回転させて自転車Ｊを前進させることができる。
【００３３】
次いで、図１ないし図５に示されるこの発明のより具体的な実施の形態の一つについて、詳細に説明する。
【００３４】
なお、ここで図１は、この実施の形態にかかる自転車Ｊの前輪Ｆの構成の概要を理解し易いように、当該前輪Ｆを当該前輪Ｆの一側方から見た状態で、当該前輪Ｆの一側方にある一方のペダルＰ、クランク３１、伝達手段Ｄ、連繋手段Ｒのみを表して示している。また、図２は、当該自転車Ｊの前輪Ｆを当該自転車Ｊの上下方向で断面にした状態で示している。また、図３は、走行可能な状態にある当該自転車Ｊの全体構成を理解し易いように、当該自転車Ｊを側方から見て示しており、また、図４は、前輪Ｆと後輪Ｂとを近接させるように畳んだ状態とした当該自転車Ｊの全体構成を理解し易いように、当該自転車Ｊを側方から見て示している。
【００３５】
図１ないし図４に示される実施の形態にかかる自転車Ｊは、ハンドルポスト１１およびシートポスト１３と、このハンドルポスト１１を回動可能に支持する前パイプ１２とシートポスト１３のそれぞれに対して略直交するように位置されて当該前パイプ１２とシートポスト１３を連結させる上パイプ１４とを備える主体部１０を有する。
【００３６】
また、前輪Ｆを、前記前パイプ１２の下側から突き出されるハンドルポスト１１の下端部に対して互いに間隔を開けて組み付けられる一対の前ホークＨ１、Ｈ１の下端に車軸２２を支持させることにより、備えている。
【００３７】
また、この実施の形態にあっては、前記前輪Ｆに比し後輪Ｂを小径のものとしており、この後輪Ｂを、前記上パイプ１４におけるシートポスト１３近傍の位置で上端を回動可能に組み付けられた後ホークＨ２の下端に組み付け、備えている。
【００３８】
そしてこの実施の形態にあっては、前記前輪Ｆのハブ２０を構成する車軸２２が、当該車軸２２の両端側をそれぞれ突き出させるように、この車軸２２を中心
に回転される当該ハブ２０を構成する胴体２１に差し込まれており、当該車軸２２は、この胴体２１から突き出される当該車軸２２の両端部をそれぞれ前記一対の前ホークＨ１、Ｈ１の下端にナット２２ａによりねじ止めして、当該一対の前ホークＨ１、Ｈ１の下端間に亙るように組み付けてある。
【００３９】
また、前記胴体２１は、その両端部にそれぞれ外輪２３ａの外側に第一のギア２３ｂを備えたフリーホイール２３を、当該フリーホイール２３の回転軸と胴体２１の回転軸とが同軸となるように備えている。より具体的には、フリーホイール２３を構成する内輪（図示は省略する。）に胴体２１を差し入れ、両者をねじ付けて、当該フリーホイール２３が当該胴体２１に組み付けてある。
【００４０】
また、前記胴体２１は、前記一対のフリーホイール２３、２３の間に、当該胴体２１の軸線を巡るように設けられた一対の鍔２１ａ、２１ａを間隔を開けて備えており、この鍔２１ａに当該胴体２１とリムとの間に張り込まれるスポーク２５の一端が固定される構成としてある。
【００４１】
また、この実施の形態にあっては、前記一対の前ホークＨ１、Ｈ１に、前輪Ｆの前側を通るように湾曲され、かつ、両端部をこの一対の前ホークＨ１、Ｈ１の下端部における前輪Ｆの前側を向いた縁部にそれぞれ固定した略Ｕ字状をなすフレーム３０が組み付けられている。そして、この実施の形態にあっては、当該フレーム３０における前輪Ｆの前側に位置される湾曲部３０ａを挟んだ両側位置に、当該前輪Ｆの両側においてそれぞれ、かかるフレーム３０に一端側を回動可能に組み付けられて他端３１ａ側を上下方向に回動させる一対のクランク３１、３１が設けられており、この一対のクランク３１、３１の当該他端３１ａ部にそれぞれ前記前輪Ｆの側方に向けて突き出すようにペダルＰが組み付けてある。
【００４２】
また、この実施の形態にあっては、前記一対の前ホークＨ１、Ｈ１における互いに向き合った側であって、前記フリーホイール２３の上方に、当該フリーホイール２３の回転軸と略平行な回転軸を備えた第二のギア４０がそれぞれ設けてある。
【００４３】
そしてこの実施の形態にあっては、前記一対のペダルＰ、Ｐの上下動に伴って前記一対のフリーホイール２３、２３をそれぞれ回転させる伝達手段Ｄを、当該一対のペダルＰ、Ｐの一方が組み付けられた前記一方のクランク３１の他端３１ａ部に一端を固定された第一のチェーンＣ１を、この一方のクランク３１がある側にある前記一対のホークＨの一方に設けられた前記第二のギア４０および前記一対のフリーホイール２３、２３の一方の外輪２３ａに組み付けられた第一のギア２３ｂに掛け渡すと共に、当該一対のペダルＰ、Ｐの他方が組み付けられた前記他方のクランク３１の他端部に一端を固定された第二のチェーンＣ２を、この他方のクランク３１がある側にある前記一対のホークＨの他方に設けられた前記第二のギア４０および前記一対のフリーホイール２３、２３の他方の外輪２３ａに組み付けられた第一のギア２３ｂに掛け渡して、構成している。
【００４４】
すなわち、この実施の形態にあっては、前記前輪Ｆの一方の側にある第一のチェーンＣ１および他方の側にある第二のチェーンＣ２がいずれも、前記第二のギア４０の後側から当該第二のギア４０の上側を通り、かつ、前記フリーホールの軸と前記第二のギア４０の軸とを結んだ直線を横切るように両第一のギア２３ｂと第二のギア４０との間を通されて、前記フリーホイール２３の後側から当該フリーホイール２３の下側を通って上方に抜けだされるように、前記第二のギア４０および前記フリーホイール２３の外輪２３ａに組み付けられた第一のギア２３ｂに掛け渡される構成としてある。
【００４５】
そしてこの実施の形態にあっては、前記前ホークＨ１の前部上端側に掛け渡された取付板５０に互いに間隔を開けて、ローラ軸を前記前輪Ｆの回転軸に対して略直交させるように外周部にワイヤＷの収まる環状溝６０ａを備えた一対のガイドローラ６０、６０を設けてある。
【００４６】
そして、前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを、一端を前記第一のチェーンＣ１の前記クランク３１に固定されていない側の他端３１ａ部に固定されると共に、他端を前記第二のチェーンＣ２の前記クランク３１に固定されていない側の他端３１ａ部に固定され、かつ、前記一対のガイドローラ６０、６０の上側を前記環状溝６０ａに収められた状態で通されるワイヤＷとしてある。
【００４７】
この実施の形態にかかる自転車Ｊは、以上に説明した構成を備えることから、前記一対のペダルＰ、Ｐのうち上方に位置されている一方のペダルＰを踏み込むことにより、当該一方のペダルＰを組み付けている一方のクランク３１を下方に回動させることができ、このクランク３１の回動に伴う前記第一のチェーンＣ１を下方に引き込むように走行させることができ、この結果、当該第一のチェーンＣ１に第一のギア２３ｂを噛み合わされている前記一対のフリーホイール２３、２３の一方を自転車Ｊを前進させる向きに前輪Ｆを回転させる向きに、回転させることができる。また、これに伴なって、前記ワイヤＷにより当該第一のチェーンＣ１に連繋されている前記第二のチェーンＣ２を上方に引上げるように走行させることができ、これにより先行して踏み込まれて下方に位置されている他方のペダルＰを組み付けている他方のクランク３１を上方に回動させることができ、再び当該他方のペダルＰを下方に踏み込める位置まで引上げ、戻すことができる。また、この他方のクランク３１を上方に移動させる前記第二のチェーンＣ２の走行により前記一対のフリーホイール２３、２３の他方は自転車Ｊを前進させる向きと反対の向きに前記前輪Ｆが回転される向きに回転されることになるが、この向きの回転に伴っては当該フリーホイール２３は前記内輪に対して外輪２３ａを空転させる構成としてあり、したがって、当該他方のクランク３１を上方に移動させる前記第二のチェーンＣ２の走行が自転車Ｊを前進させる向きへの前記前輪Ｆの回転を妨げることはないものとされている。
【００４８】
すなわち、この実施の形態にかかる自転車Ｊによれば、前記一対のペダルＰ、Ｐを交互に連続して踏み込みながら、前輪Ｆを回転、駆動させて自転車Ｊを前進させることができる。
【００４９】
また、この実施の形態にかかる自転車Ｊによれば、前記のように、自転車Ｊのハンドルポスト１１を支持する前パイプ１２とシートポスト１３とを連結させる上パイプ１４に後輪Ｂを支持する後ホークＨ２を回動可能に組み付けており、また、前記前輪Ｆの両側に前記一対のクランク３１、３１および一対のペダルＰ、Ｐを位置付けていることから、図３に示されるように、前記前ホークＨ１に組み付けられた前記フレーム３０の湾曲部３０ａが自転車Ｊの前進方向に向けられるように前輪Ｆが位置付けられ、かつ、前記後輪Ｂを支持する後ホークＨ２が前記上パイプ１４との回動・組みつけ位置を中心に当該後輪Ｂと前輪Ｆとの間隔を広げるように開きだされた状態から、図４に示されるように、前記前輪Ｆを１８０度回転させると共に、後輪Ｂを支持する後ホークＨ２を前記上パイプ１４との回動・組みつけ位置を中心に当該後輪Ｂと前輪Ｆとの間隔を狭めるように回動させることにより、自転車Ｊの長さ寸法を容易に小さくすることができる。
【００５０】
なお、この実施の形態にあっては、前記前輪Ｆを支持する前ホークＨ１に組み付けられたフレーム３０の湾曲部３０ａと、前記後輪Ｂを支持する後ホークＨ２の下端部とに、図５に示されるように、爪部材７０と当該爪部材７０を収める隙間を備えた引っ掛け部材７１とが設けてあり、両部材７０、７１を係合し合わせることにより、自転車Ｊの長さ寸法を小さくした状態を維持できる構成としてある。
【００５１】
次いで、図６および図７に示されるこの発明のより具体的な実施の形態の他の一つについて、詳細に説明する。
【００５２】
なお、ここで図６は、この実施の形態にかかる自転車Ｊ２の前輪Ｆの構成の概要を理解し易いように、当該前輪Ｆを当該前輪Ｆの一側方から見た状態で、当該前輪Ｆの一側方にある一方のペダルＰ、クランク３１、伝達手段Ｄ、連繋手段Ｒのみを表して示している。また、図７は、当該自転車Ｊ２の前輪Ｆを当該自転車Ｊ２の後方から見た状態で示している。
【００５３】
図６および図７に示される実施の形態にかかる自転車Ｊ２は、前記一対のペダルＰ、Ｐの上下動に伴って前記一対のフリーホイール２３、２３をそれぞれ回転させる伝達手段Ｄおよび前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒの構成を、前記図１ないし図５に示される自転車Ｊ１と異ならせている。図６および図７に示される自転車Ｊ２のその余の構成は、図１ないし図５に示される自転車Ｊ１と同一または実質的に同一であるので、当該同一または実質的に同一の構成部分であって図６および図７に示される部分については、図６および図７に図１ないし図５において用いた符号と同一の符号を付してその説明を省略する。
【００５４】
図６および図７に示される実施の形態にかかる自転車Ｊ２は、前記一対のペダルＰ、Ｐの上下動に伴って前記一対のフリーホイール２３、２３をそれぞれ回転させる伝達手段Ｄを、前記前輪Ｆの一側にある前記一対のフリーホイール２３、２３の一方に設けられた第一のギア２３ｂと当該フリーホイール２３の上方にあってこの前輪Ｆの一側にある一方の前ホークＨ１の内側に組み付けられた第二のギア４０とに無端状をなすように掛け渡された第一のチェーンＣ１’の前輪Ｆの前側に位置される箇所と、前記一対のペダルＰ、Ｐの一方が組み付けられた前記一対のクランク３１、３１の一方の略中央部３１ｂとを、連結部材Ｕ、この実施の形態では前記第一のチェーンＣ１’から分岐された分岐チェーンＣ３によりに連結させると共に、前記前輪Ｆの他側にある前記一対のフリーホイール２３、２３の他方に設けられた第一のギア２３ｂと当該フリーホイール２３の上方にあってこの前輪Ｆの他側にある他方の前ホークＨ１の内側に組み付けられた第二のギア４０とに無端状をなすように掛け渡された第二のチェーンＣ２’の前輪Ｆの前側に位置される箇所と、前記一対のペダルＰ、Ｐの他方が組み付けられた前記一対のクランク３１、３１の他方の略中央部３１ｂとを、前記連結部材Ｕにより連結させて、構成している。
【００５５】
そしてこの実施の形態にあっては、前記前ホークＨ１の後部上端側に掛け渡された取付板９０に互いに間隔を開けて、ローラ軸を前記前輪Ｆの回転軸に対して略直交させるように外周部にワイヤＷの収まる環状溝６０ａを備えた一対のガイドローラ６０’、６０’を設けてある。
【００５６】
そして、前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを、一端を前記一対のクランク３１、３１の一方における前記ペダルＰの設けられている他端３１ａ部に固定されると共に、他端を前記一対のクランク３１、３１の他方における前記ペダルＰの設けられている他端３１ａ部に固定され、かつ、前記一対のガイドローラ６０、６０の上側を前記環状溝６０ａに収められた状態で通されるワイヤＷとしてある。
【００５７】
したがって、この実施の形態にかかる自転車Ｊ２によれば、前記一対のペダルＰ、Ｐのうち上方に位置されている一方のペダルＰを踏み込むことにより、当該一方のペダルＰを組み付けている一方のクランク３１を下方に回動させることができ、このクランク３１の回動により前記第一のチェーンＣ１’を走行させることができ、この結果、当該第一のチェーンＣ１’に第一のギア２３ｂを噛み合わされている前記一対のフリーホイール２３、２３の一方を自転車Ｊ２を前進させる向きに当該前輪Ｆを回転させる向きに、回転させることができる。また、これに伴なって、前記ワイヤＷにより当該第一のチェーンＣ１’に連繋されている前記第二のチェーンＣ２’を上方に引上げるように走行させることができ、これにより先行して踏み込まれて下方に位置されている他方のペダルＰを組み付けている他方のクランク３１を上方に回動させることができ、再び当該他方のペダルＰを下方に踏み込める位置まで引上げ、戻すことができる。また、この他方のクランク３１の上方への回動に伴った前記第二のチェーンＣ２’の走行により前記一対のフリーホイール２３、２３の他方は自転車Ｊ２を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該他方のクランク３１を上方に移動させる前記第二のチェーンＣ２’の走行が自転車Ｊ２を前進させる向きへの前記前輪Ｆの回転を妨げることはないものとされている。
【００５８】
すなわち、この実施の形態にかかる自転車Ｊ２によれば、前記一対のペダルＰ、Ｐを交互に連続して踏み込みながら、前輪Ｆを回転、駆動させて自転車Ｊ２を前進させることができる。
【００５９】
次いで、図８に示されるこの発明のより具体的な実施の形態のさらに他の一つについて、詳細に説明する。
【００６０】
なお、ここで図８は、この実施の形態にかかる自転車Ｊ３の前輪Ｆの構成の概要を理解し易いように、当該前輪Ｆを当該前輪Ｆの一側方から見た状態で、当該前輪Ｆの一側方にある一方のペダルＰ、クランク３１、伝達手段Ｄ、付勢手段ｆのみを表して示している。
【００６１】
図８に示される実施の形態にかかる自転車Ｊ３は、前記一対のペダルＰ、Ｐの上下動に伴って前記一対のフリーホイール２３、２３をそれぞれ回転させる伝達手段Ｄの構成を、前記図１ないし図５に示される自転車Ｊ１と異ならせていると共に、前記連繋手段Ｒに変えて一対のペダルＰ、Ｐのそれぞれを下方に踏み込んだ際に当該ペダルＰを上方に付勢させる付勢手段ｆを備える構成としてある。図８に示される自転車Ｊ３のその余の構成は、図１ないし図５に示される自転車Ｊ１と同一または実質的に同一であるので、当該同一または実質的に同一の構成部分であって図８に示される部分については、図８に図１ないし図５において用いた符号と同一の符号を付してその説明を省略する。
【００６２】
図８に示される実施の形態にかかる自転車Ｊ３は、前記一対のペダルＰ、Ｐの上下動に伴って前記一対のフリーホイール２３、２３をそれぞれ回転させる伝達手段Ｄを、前記前輪Ｆの一側にある前記一対のフリーホイール２３、２３の一方に設けられた第一のギア２３ｂと当該フリーホイール２３の上方にあってこの前輪Ｆの一側にある前ホークＨ１の内側に組み付けられた第二のギア４０とに無端状をなすように掛け渡された第一のチェーンＣ１’の前輪Ｆの前側に位置される箇所と、前記一対のペダルＰ、Ｐの一方が組み付けられた前記一対のクランク３１、３１の一方の略中央部３１ｂとを、連結部材Ｕ、この実施の形態では前記第一のチェーンＣ１’から分岐された分岐チエーンによりに連結させると共に、前記前輪Ｆの他側にある前記一対のフリーホイール２３、２３の他方に設けられた第一のギア２３ｂと当該フリーホイール２３の上方にあってこの前輪Ｆの他側にある前ホークＨ１の内側に組み付けられた第二のギア４０とに無端状をなすように掛け渡された第二のチェーンＣ２’の前輪Ｆの前側に位置される箇所と、前記一対のペダルＰ、Ｐの他方が組み付けられた前記一対のクランク３１、３１の他方の略中央部３１ｂとを、前記連結部材Ｕによりに連結させて、構成している。なお、前記第二のチェーンＣ２’の構成は、前記第一のチェーンＣ１’と同一であり、その配置を対称とするものである。
【００６３】
そしてこの実施の形態にあっては、前記一対のペダルＰ、Ｐのそれぞれを下方に踏み込んだ際に当該ペダルＰを上方に付勢させる付勢手段ｆを、当該一対のペダルＰ、Ｐが設けられている前輪Ｆの両側においてそれぞれ、一端を前記クランク３１における前記ペダルＰが組み付けられている他端部に固定されると共に、他端を前記ハンドルポスト１１の下部に固定させた引っ張りコイルバネ１００としてある。
【００６４】
したがって、この実施の形態にかかる自転車Ｊ３によれば、前記一対のペダルＰ、Ｐの一方又は双方を下方に踏み込むことにより、当該ペダルＰを組み付けているクランク３１を下方に回動させることができ、このクランク３１の回動により前記第一のチェーンＣ１’若しくは第二のチェーンＣ２’又は第一のチェーンＣ１’および第二のチェーンＣ２’を走行させることができ、この結果、当該第一のチェーンＣ１’又は第二のチェーンＣ２’に第一のギア２３ｂを噛み合わされている前記一対のフリーホイール２３、２３の一方若しくは他方又は一方および他方を自転車Ｊ３を前進させる向きに当該前輪Ｆを回転させる向きに、回転させることができる。また、これに伴なつて、一旦下方に踏み込んだ前記ペダルＰを前記引っ張りコイルバネ１００の付勢により再び当該ペダルＰを下方に踏み込める位置まで前記クランク３１を上方に回動させることができる。また、このクランク３１の上方への回動に伴った前記第一のチェーンＣ１’又は第二のチェーンＣ２’の走行により前記一対のフリーホイール２３、２３一方又は他方は自転車Ｊ３を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該クランク３１の上方への移動に伴った前記第一のチェーンＣ１’又は第二のチェーンＣ２’の走行が自転車Ｊ３を前進させる向きへの前記前輪Ｆの回転を妨げることはないものとされている。
【００６５】
すなわち、この実施の形態にかかる自転車Ｊ３によれば、前記一対のペダルＰ、Ｐを同時に、あるいは、交互に連続して踏み込みながら、前輪Ｆを回転、駆動させて自転車Ｊ３を前進させることができる。
【００６６】
次いで、図９および図１０に示されるこの発明のより具体的な実施の形態のさらに他の一つについて、詳細に説明する。
【００６７】
なお、ここで図９は、この実施の形態にかかる自転車Ｊ４の前輪Ｆを当該自転車Ｊ４の上下方向で断面にした状態で示している。また、図１０は、当該自転車Ｊ４のスライダと前ホークＨ１および第一のチェーンＣ１”との組み付け状態を理解し易いように、当該組み付け部分を拡大して、斜視の状態として示している。
【００６８】
図９および図１０に示される実施の形態にかかる自転車Ｊ４は、前記一対のペダルＰ、Ｐの構成および当該一対のペダルＰ、Ｐの上下動に伴って前記一対のフリーホイール２３、２３をそれぞれ回転させる伝達手段Ｄの構成を、前記図１ないし図５に示される自転車Ｊ１と異ならせている。図９および図１０に示される自転車Ｊ４のその余の構成は、図１ないし図５に示される自転車Ｊ１と同一または実質的に同一であるので、当該同一または実質的に同一の構成部分であって図９および図１０に示される部分については、図９および図１０に図１ないし図５において用いた符号と同一の符号を付してその説明を省略する。
【００６９】
図９および図１０に示される実施の形態にかかる自転車Ｊ４は、前記一対のペダルＰ、Ｐが、前記前輪Ｆを支持する前ホークＨ１にガイドされて上下方向に移動される一対のスライダ８０、８０に設けられている。
【００７０】
すなわち、この実施の形態にあっては、前記前ホークＨ１を横断面形状を略方形状に構成してあると共に、前記一対のスライダ８０、８０がそれぞれ、この前ホークＨ１における前記前輪Ｆの前側に向けられた側面Ｈ１ａと後側に向けられた側面Ｈ１ｂとにそれぞれ向き合い、かつ、当該前輪Ｆの側方に向けて突き出す一対の側板８１、８１と、この一対の側板８１、８１における前記前輪Ｆに向き合わない側の端部間を繋ぐ連結側板８２とを備える構成としてある。
【００７１】
そして、この実施の形態にあっては、当該スライダ８０における前記連結側板８２が設けられている側の上縁部に、前記一対の側板８１、８１と当該連結側板８２とにより構成される空間の上方を塞ぐよう天板８３を組み付けてある。
【００７２】
また、前記一対の側板８１、８１間には、前記前ホークＨ１における前輪Ｆ側に向けられた側面Ｈ１ｃに接する上下一対の第一のローラ１１０、１１０と、当該前ホークＨ１における前輪Ｆ側に向けられた側面Ｈ１ｃに対向する側面Ｈ１ｄに接する上下一対の第二のローラ１１１、１１１とが、それぞれ当該各ローラ１１０、１１０・１１１、１１１の周面を前記前ホークＨ１の両側面に接しさせるように、掛け渡し状に組み付けてある。
【００７３】
したがって、この実施の形態にあっては、前記のように構成されるスライダに８０おける前記天板８３を踏み込み面として、すなわち、この天板８３をペダルＰとして、当該ペダルＰひいては前記スライダ８０を前記前ホークＨ１をガイドとして上下に移動させることができる。
【００７４】
また、この実施の形態にかかる自転車Ｊ４にあっては、前記一対のペダルＰ、Ｐの上下動に伴って前記一対のフリーホイール２３、２３をそれぞれ回転させる伝達手段Ｄを、前記前輪Ｆの一側にある前記一対のフリーホイール２３、２３の一方に設けられた第一のギア２３ｂと当該フリーホイール２３の上方にあってこの前輪Ｆの一側にある前ホークＨ１の内側に組み付けられた第二のギア４０とに無端状をなすように掛け渡された第一のチェーンＣ１”の前輪Ｆの前側に位置される箇所と、前記一対のスライダ８０、８０の一方における前輪Ｆの前側に向けられた側板８１とを、連結部材Ｕ、この実施の形態では前記第一のチェーンＣ１”の互いに連結される隣り合った一対の「ころ」（図示は省略する。）間の隙間に連通されるネジ穴１２１を備えた固定板１２０を当該ネジ穴１２１にネジ１２２を差し入れて前記側板にネジ止めすることにより連結させると共に、前記前輪Ｆの他側にある前記一対のフリーホイール２３、２３の他方に設けられた第一のギア２３ｂと当該フリーホイール２３の上方にあってこの前輪Ｆの他側にある前ホークＨ１の内側に組み付けられた第二のギア４０とに無端状をなすように掛け渡された第二のチェーンＣ２”の前輪Ｆの前側に位置される箇所と、前記一対のスライダ８０、８０の他方における前輪Ｆの前側に向けられた側板とを、前記連結部材Ｕにより連結させて、構成している。
【００７５】
そしてこの実施の形態にあっては、前記前ホークＨ１の前部上端側に掛け渡された取付板５０に互いに間隔を開けて、ローラ軸を前記前輪Ｆの回転軸に対して略直交させるように外周部にワイヤＷの収まる環状溝６０ａを備えた一対のガイドローラ６０、６０を設けてある。
【００７６】
そして、前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを、一端を前記一対のスライダ８０、８０の一方の側板上縁に固定されると共に、他端を前記一対のスライダ８０、８０の他方の側板上縁に固定され、かつ、前記一対のガイドローラ６０、６０の上側に前記環状溝６０ａに収められた状態で通されるワイヤＷ’としてある。
【００７７】
したがって、この実施の形態にかかる自転車Ｊ４によれば、前記一対のペダルＰ、Ｐのうち上方に位置されている一方のペダルＰを踏み込むことにより、当該一方のペダルＰが設けてある前記一方のスライダ８０を下方に移動させることができ、このスライダ８０の移動により前記第一のチェーンＣ１”を走行させることができ、この結果、当該第一のチェーンＣ１”に第一のギア２３ｂを噛み合わされている前記一対のフリーホイール２３、２３の一方を自転車Ｊ４を前進させる向きに当該前輪Ｆを回転させる向きに、回転させることができる。また、これに伴なつて、前記ワイヤＷ’により当該第一のチェーンＣ１”に連繋されている前記第二のチェーンＣ２”を上方に引上げるように走行させることができ、これにより先行して踏み込まれて下方に位置されている他方のペダルＰを組み付けている他方のスライダ８０を上方に移動させることができ、再び当該他方のペダルＰを下方に踏み込める位置まで引上げ、戻すことができる。また、この他方のスライダ８０の上方への移動に伴った前記第二のチェーンＣ２”の走行により前記一対のフリーホイール２３、２３の他方は自転車Ｊ４を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該他方のスライダ８０を上方に移動させる前記第二のチェーンＣ２”の走行が自転車Ｊ４を前進させる向きへの前記前輪Ｆの回転を妨げることはないものとされている。
【００７８】
すなわち、この実施の形態にかかる自転車Ｊ４によれば、前記一対のペダルＰ、Ｐを交互に連続して踏み込みながら、前輪Ｆを回転、駆動させて自転車Ｊ４を前進させることができる。
【００７９】
なお、この実施の形態にかかるペダルＰを、前記スライダ８０の前記連結側板から側方に向けて突き出されるように当該連結側板８２に組み付けられる心棒と当該心棒に回転可能に嵌め付けられる枠とを備えるペダルＰとして構成しても良い。
【００８０】
次いで、図１１に示されるこの発明のより具体的な実施の形態の他の一つについて、詳細に説明する。
【００８１】
なお、ここで図１１は、この実施の形態にかかる自転車Ｊ５の前輪Ｆの構成の概要を理解し易いように、当該前輪Ｆを当該前輪Ｆの一側方から見た状態で、当該前輪Ｆの一側方にある一方のペダルＰ、クランク３１、伝達手段Ｄ、付勢手段ｆのみを表して示している。
【００８２】
図１１に示される実施の形態にかかる自転車Ｊ５は、前記一対のペダルＰ、Ｐの一方の下方に向けた踏み込み動作に伴って、当該一対のペダルＰ、Ｐの他方を上方に向けて引き上げさせる当該一対のペダルＰ、Ｐの付勢手段ｆを備える構成としてある。図１１に示される自転車Ｊ５のその余の構成は、図１ないし図５に示される自転車Ｊ１と同一または実質的に同一であるので、当該同一または実質的に同一の構成部分であって図１１に示される部分については、図１１に図１ないし図５において用いた符号と同一の符号を付してその説明を省略する。
【００８３】
この実施の形態にあっては、前記一対のペダルＰ、Ｐのそれぞれを下方に踏み込んだ際に当該ペダルＰを上方に付勢させる付勢手段ｆを、前記前輪の両側においてそれぞれ、一端を前記チェーンＣ、図１１にあっては第一のチェーンＣ１の前記クランク３１に固定されていない側の端部に固定されると共に、他端を前記ハンドルポスト１１の前側下部に固定させた引っ張りコイルバネ１００’とから構成してある。
【００８４】
したがって、この実施の形態にかかる自転車Ｊ５によれば、前記一対のペダルＰ、Ｐの一方又は双方を下方に踏み込むことにより、当該ペダルＰを組み付けているクランク３１を下方に回動させることができ、このクランク３１の回動により前記第一のチェーンＣ１若しくは第二のチェーンＣ２又は第一のチェーンＣ１および第二のチェーンＣ２を走行させることができ、この結果、当該第一のチェーンＣ１又は第二のチェーンＣ２に第一のギア２３ｂを噛み合わされている前記一対のフリーホイール２３、２３の一方若しくは他方又は一方および他方を自転車Ｊ３を前進させる向きに当該前輪Ｆを回転させる向きに、回転させることができる。また、これに伴なつて、一旦下方に踏み込んだ前記ペダルＰを前記引っ張りコイルバネ１００の付勢により再び当該ペダルＰを下方に踏み込める位置まで前記クランク３１を上方に回動させることができる。また、このクランク３１の上方への回動に伴った前記第一のチェーンＣ１又は第二のチェーンＣ２の走行により前記一対のフリーホイール２３、２３一方又は他方は自転車Ｊ３を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該クランク３１の上方への移動に伴った前記第一のチェーンＣ１又は第二のチェーンＣ２の走行が自転車Ｊ３を前進させる向きへの前記前輪Ｆの回転を妨げることはないものとされている。なお、前記第二のチェーンＣ２の構成は、前記第一のチェーンＣ１と同一であり、その配置を対称とするものである。
【００８５】
すなわち、この実施の形態にかかる自転車Ｊ５によれば、前記一対のペダルＰ、Ｐを同時に、あるいは、交互に連続して踏み込みながら、前輪Ｆを回転、駆動させて自転車Ｊ３を前進させることができる。
【００８６】
次いで、図１２に示されるこの発明のより具体的な実施の形態のさらに他の一つについて、詳細に説明する。
【００８７】
なお、ここで図１２は、この実施の形態にかかる自転車Ｊ６の前輪Ｆの構成の概要を理解し易いように、当該前輪Ｆを当該前輪Ｆの一側方から見た状態で、当該前輪Ｆの一側方にある一方のペダルＰ、クランク３１、伝達手段Ｄ、付勢手段ｆのみを表して示している。
【００８８】
図１２に示される実施の形態にかかる自転車Ｊ６は、前記一対のペダルＰ、Ｐの上下動に伴って前記一対のフリーホイール２３、２３をそれぞれ回転させる伝達手段Ｄの構成を、前記図１ないし図５に示される自転車Ｊ１と異ならせていると共に、前記連繋手段Ｒに変えて一対のペダルＰ、Ｐのそれぞれを下方に踏み込んだ際に当該ペダルＰを上方に付勢させる付勢手段ｆを備える構成としてある。図１２に示される自転車Ｊ６のその余の構成は、図１ないし図５に示される自転車Ｊ１と同一または実質的に同一であるので、当該同一または実質的に同一の構成部分であって図８に示される部分については、図１２に図１ないし図５において用いた符号と同一の符号を付してその説明を省略する。
【００８９】
図１２に示される実施の形態にかかる自転車Ｊ６は、前記一対のペダルＰ、Ｐの上下動に伴って前記一対のフリーホイール２３、２３をそれぞれ回転させる伝達手段Ｄを、前記前輪Ｆの一側にある前記一対のフリーホイール２３、２３の一方に設けられた第一のギア２３ｂと当該フリーホイール２３の上方にあってこの前輪Ｆの一側にある前ホークＨ１の内側に組み付けられた第二のギア４０とに無端状をなすように掛け渡された第一のチェーンＣ１’の前輪Ｆの前側に位置される箇所と、前記一対のペダルＰ、Ｐの一方が組み付けられた前記一対のクランク３１、３１の一方の略中央部３１ｂとを、連結部材Ｕ、この実施の形態では前記第一のチェーンＣ１’から分岐された分岐チエーンＣ３によりに連結させると共に、前記前輪Ｆの他側にある前記一対のフリーホイール２３、２３の他方に設けられた第一のギア２３ｂと当該フリーホイール２３の上方にあってこの前輪Ｆの他側にある前ホークＨ１の内側に組み付けられた第二のギア４０とに無端状をなすように掛け渡された第二のチェーンＣ２’の前輪Ｆの前側に位置される箇所と、前記一対のペダルＰ、Ｐの他方が組み付けられた前記一対のクランク３１、３１の他方の略中央部３１ｂとを、前記連結部材Ｕによりに連結させて、構成している。なお、前記第二のチェーンＣ２’の構成は、前記第一のチェーンＣ１’と同一であり、その配置を対称とするものである。
【００９０】
そしてこの実施の形態にあっては、前記一対のペダルＰ、Ｐのそれぞれを下方に踏み込んだ際に当該ペダルＰを上方に付勢させる付勢手段ｆを、当該一対のペダルＰ、Ｐが設けられている前輪Ｆの両側においてそれぞれ、一端を分岐チェーンの前記クランク３１への組み付け側と反対の端部に固定されると共に、他端を前記ハンドルポスト１１の前側下部に固定させた引っ張りコイルバネ１００’としてある。
【００９１】
したがって、この実施の形態にかかる自転車Ｊ６によれば、前記一対のペダルＰ、Ｐの一方又は双方を下方に踏み込むことにより、当該ペダルＰを組み付けているクランク３１を下方に回動させることができ、このクランク３１の回動により前記第一のチェーンＣ１’若しくは第二のチェーンＣ２’又は第一のチェーンＣ１’および第二のチェーンＣ２’を走行させることができ、この結果、当該第一のチェーンＣ１’又は第二のチェーンＣ２’に第一のギア２３ｂを噛み合わされている前記一対のフリーホイール２３、２３の一方若しくは他方又は一方および他方を自転車Ｊ６を前進させる向きに当該前輪Ｆを回転させる向きに、回転させることができる。また、これに伴なつて、一旦下方に踏み込んだ前記ペダルＰを前記引っ張りコイルバネ１００の付勢により再び当該ペダルＰを下方に踏み込める位置まで前記クランク３１を上方に回動させることができる。また、このクランク３１の上方への回動に伴った前記第一のチェーンＣ１’又は第二のチェーンＣ２’の走行により前記一対のフリーホイール２３、２３一方又は他方は自転車Ｊ６を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該クランク３１の上方への移動に伴った前記第一のチェーンＣ１’又は第二のチェーンＣ２’の走行が自転車Ｊ６を前進させる向きへの前記前輪Ｆの回転を妨げることはないものとされている。
【００９２】
すなわち、この実施の形態にかかる自転車Ｊ６によれば、前記一対のペダルＰ、Ｐを同時に、あるいは、交互に連続して踏み込みながら、前輪Ｆを回転、駆動させて自転車Ｊ６を前進させることができる。
【００９３】
次いで、図１３に示されるこの発明のより具体的な実施の形態の他の一つについて、詳細に説明する。
【００９４】
なお、ここで図１３は、この実施の形態にかかる自転車Ｊ７の前輪Ｆの構成の概要を理解し易いように、当該前輪Ｆを当該前輪Ｆの一側方から見た状態で、当該前輪Ｆの一側方にある一方のペダルＰ、クランク３１、伝達手段Ｄ、連繋手段Ｒのみを表して示している。
【００９５】
図１３に示される実施の形態にかかる自転車Ｊ７は、前記一対のペダルＰ、Ｐの上下動に伴って前記一対のフリーホイール２３、２３をそれぞれ回転させる伝達手段Ｄおよび前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒの構成を、前記図１ないし図５に示される自転車Ｊ１と異ならせている。図１３に示される自転車Ｊ７のその余の構成は、図１ないし図５に示される自転車Ｊ１と同一または実質的に同一であるので、当該同一または実質的に同一の構成部分であって図１３に示される部分については、図１３に図１ないし図５において用いた符号と同一の符号を付してその説明を省略する。
【００９６】
図１３に示される実施の形態にかかる自転車Ｊ７は、前記一対のペダルＰ、Ｐの上下動に伴って前記一対のフリーホイール２３、２３をそれぞれ回転させる伝達手段Ｄを、前記前輪Ｆの一側にある前記一対のフリーホイール２３、２３の一方に設けられた第一のギア２３ｂと当該フリーホイール２３の上方にあってこの前輪Ｆの一側にある一方の前ホークＨ１の内側に組み付けられた第二のギア４０とに無端状をなすように掛け渡された第一のチェーンＣ１’の前輪Ｆの前側に位置される箇所と、前記一対のペダルＰ、Ｐの一方が組み付けられた前記一対のクランク３１、３１の一方の略中央部３１ｂとを、連結部材Ｕ、この実施の形態では前記第一のチェーンＣ１’から分岐された分岐チェーンＣ３によりに連結させると共に、前記前輪Ｆの他側にある前記一対のフリーホイール２３、２３の他方に設けられた第一のギア２３ｂと当該フリーホイール２３の上方にあってこの前輪Ｆの他側にある他方の前ホークＨ１の内側に組み付けられた第二のギア４０とに無端状をなすように掛け渡された第二のチェーンＣ２’の前輪Ｆの前側に位置される箇所と、前記一対のペダルＰ、Ｐの他方が組み付けられた前記一対のクランク３１、３１の他方の略中央部３１ｂとを、前記連結部材Ｕにより連結させて、構成している。なお、前記第二のチェーンＣ２’の構成は、前記第一のチェーンＣ１’と同一であり、その配置を対称とするものである。
【００９７】
そしてこの実施の形態にあっては、前記前ホークＨ１の前部上端側に掛け渡された取付板５０に互いに間隔を開けて、ローラ軸を前記前輪Ｆの回転軸に対して略直交させるように外周部にワイヤＷ”の収まる環状溝６０ａを備えた一対のガイドローラ６０、６０を設けてある。
【００９８】
そして、前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを、一端を前記第一のチェーンＣ１’における分岐チェーンＣ３のクランク３１への固定側と反対の側の端部に固定されると共に、他端を前記第二のチェーンＣ２’における分岐チェーンＣ３のクランク３１への固定側と反対の側の端部に固定され、かつ、前記一対のガイドローラ６０、６０の上側を前記環状溝６０ａに収められた状態で通されるワイヤＷ”としてある。
【００９９】
したがって、この実施の形態にかかる自転車Ｊ７によれば、前記一対のペダルＰ、Ｐのうち上方に位置されている一方のペダルＰを踏み込むことにより、当該一方のペダルＰを組み付けている一方のクランク３１を下方に回動させることができ、このクランク３１の回動により前記第一のチェーンＣ１’を走行させることができ、この結果、当該第一のチェーンＣ１’に第一のギア２３ｂを噛み合わされている前記一対のフリーホイール２３、２３の一方を自転車Ｊ７を前進させる向きに当該前輪Ｆを回転させる向きに、回転させることができる。また、これに伴なって、前記ワイヤＷ”により当該第一のチェーンＣ１’に連繋されている前記第二のチェーンＣ２’を上方に引上げるように走行させることができ、これにより先行して踏み込まれて下方に位置されている他方のペダルＰを組み付けている他方のクランク３１を上方に回動させることができ、再び当該他方のペダルＰを下方に踏み込める位置まで引上げ、戻すことができる。また、この他方のクランク３１の上方への回動に伴った前記第二のチェーンＣ２’の走行により前記一対のフリーホイール２３、２３の他方は自転車Ｊ７を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該他方のクランク３１を上方に移動させる前記第二のチェーンＣ２’の走行が自転車Ｊ７を前進させる向きへの前記前輪Ｆの回転を妨げることはないものとされている。
【０１００】
すなわち、この実施の形態にかかる自転車Ｊ７によれば、前記一対のペダルＰ、Ｐを交互に連続して踏み込みながら、前輪Ｆを回転、駆動させて自転車Ｊ７を前進させることができる。
【０１０１】
次いで、図１４および図１５に示されるこの発明のより具体的な実施の形態の他の一つについて、詳細に説明する。
【０１０２】
なお、ここで図１４は、この実施の形態にかかる自転車Ｊ８の前輪Ｆの構成の概要を理解し易いように、当該前輪Ｆを当該前輪Ｆの一側方から見た状態で、当該前輪Ｆの一側方にある一方のペダルＰ、クランク３１’、伝達手段Ｄ、連繋手段Ｒのみを表して示している。また、図１５は、当該自転車Ｊ８の前輪を当該自転車Ｊ８の前方から見た状態で示している。
【０１０３】
図１４および図１５に示される実施の形態にかかる自転車Ｊ８は、前記一対のペダルＰ、Ｐの上下動に伴って前記一対のフリーホイール２３、２３をそれぞれ回転させる伝達手段Ｄ、前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒ、および当該一対のペダルＰ、Ｐの組み付けられる前記クランク３１’並びに当該クランク３１’を支持するフレーム３０’の構成を、前記図１ないし図５に示される自転車Ｊ１と異ならせている。図１４および図１５に示される自転車Ｊ８のその余の構成は、図１ないし図５に示される自転車Ｊ１と同一または実質的に同一であるので、当該同一または実質的に同一の構成部分であって図１４および図１５に示される部分については、図１４および図１５に図１ないし図５において用いた符号と同一の符号を付してその説明を省略する。
【０１０４】
図１４および図１５に示される実施の形態にかかる自転車Ｊ８にあっては、一対の前ホークＨ１、Ｈ１に、前輪Ｆの後側を通るように湾曲され、かつ、両端部をこの一対の前ホークＨ１、Ｈ１の下端部における前輪Ｆの後側を向いた縁部にそれぞれ固定した略Ｕ字状をなすフレーム３０’が組み付けられている。そして、当該フレーム３０’における前輪Ｆの後側に位置される湾曲部３０’ａを挟んだ両側位置に、当該前輪Ｆの両側においてそれぞれ、かかるフレーム３０’に一端側を回動可能に組み付けられて他端３１’ａ側を上下方向に回動させる一対のクランク３１’、３１’の当該他端３１’ａ部にそれぞれ前記前輪Ｆの側方に向けて突き出すようにペダルＰが組み付けてある。
【０１０５】
また、この実施の形態にかかる自転車Ｊ８にあっては、前記一対のペダルＰ、Ｐの上下動に伴って前記一対のフリーホイール２３、２３をそれぞれ回転させる伝達手段Ｄを、前記前輪Ｆの一側にある前記一対のフリーホイール２３、２３の一方に設けられた第一のギア２３ｂと当該フリーホイール２３の上方にあってこの前輪Ｆの一側にある一方の前ホークＨ１の内側に組み付けられた第二のギア４０とに無端状をなすように掛け渡された第一のチェーンＣ１’の前輪Ｆの前側に
位置される箇所と、前記一対のペダルＰ、Ｐの一方が組み付けられた前記一対のクランク３１’、３１’の前記他端３１’ａとを、連結部材Ｕ、この実施の形態では前記第一のチェーンＣ１’から分岐された分岐チェーンＣ３によりに連結させると共に、前記前輪Ｆの他側にある前記一対のフリーホイール２３、２３の他方に設けられた第一のギア２３ｂと当該フリーホイール２３の上方にあってこの前輪Ｆの他側にある他方の前ホークＨ１の内側に組み付けられた第二のギア４０とに無端状をなすように掛け渡された第二のチェーンＣ２’の前輪Ｆの前側に位置される箇所と、前記一対のペダルＰ、Ｐの他方が組み付けられた前記一対のクランク３１、３１の前記他端３１’ａとを、前記連結部材Ｕにより連結させて、構成している。なお、前記第二のチェーンＣ２’の構成は、前記第一のチェーンＣ１’と同一であり、その配置を対称とするものである。
【０１０６】
そしてこの実施の形態にあっては、前記前ホークＨ１の前部上端側に掛け渡された取付板５０に互いに間隔を開けて、ローラ軸を前記前輪Ｆの回転軸に対して略直交させるように外周部にワイヤＷ”の収まる環状溝６０ａを備えた一対のガイドローラ６０、６０を設けてある。
【０１０７】
そして、前記一対のペダルＰ、Ｐの一方の下方に向けた踏み込み動作に伴って、当該一対のペダルＰ、Ｐの他方を上方に向けて引き上げさせる当該一対のペダルＰ、Ｐの連繋手段Ｒを、一端を前記第一のチェーンＣ１’における分岐チェーンＣ３のクランク３１への固定側と反対の側の端部に固定されると共に、他端を前記第二のチェーンＣ２’における分岐チェーンＣ３のクランク３１への固定側と反対の側の端部に固定され、かつ、前記一対のガイドローラ６０、６０の上側を前記環状溝６０ａに収められた状態で通されるワイヤＷ”としてある。
【０１０８】
したがって、この実施の形態にかかる自転車Ｊ８によれば、前記一対のペダルＰ、Ｐのうち上方に位置されている一方のペダルＰを踏み込むことにより、当該一方のペダルＰを組み付けている一方のクランク３１’を下方に回動させることができ、このクランク３１の回動により前記第一のチェーンＣ１’を走行させることができ、この結果、当該第一のチェーンＣ１’に第一のギア２３ｂを噛み合わされている前記一対のフリーホイール２３、２３の一方を自転車Ｊ８を前進させる向きに当該前輪Ｆを回転させる向きに、回転させることができる。また、これに伴なって、前記ワイヤＷ”により当該第一のチェーンＣ１’に連繋されている前記第二のチェーンＣ２’を上方に引上げるように走行させることができ、これにより先行して踏み込まれて下方に位置されている他方のペダルＰを組み付けている他方のクランク３１’を上方に回動させることができ、再び当該他方のペダルＰを下方に踏み込める位置まで引上げ、戻すことができる。また、この他方のクランク３１’の上方への回動に伴った前記第二のチェーンＣ２’の走行により前記一対のフリーホイール２３、２３の他方は自転車Ｊ８を前進させる向きと反対の向きに前記前輪Ｆを回転させる向きに回転されることになるが、この向きの回転に伴っては当該フリーホイール２３は前記内輪に対して外輪２３ａを空転させる構成としてあり、したがって、当該他方のクランク３１’を上方に移動させる前記第二のチェーンＣ２’の走行が自転車Ｊ８を前進させる向きへの前記前輪Ｆの回転を妨げることはないものとされている。
【０１０９】
すなわち、この実施の形態にかかる自転車Ｊ８によれば、前記一対のペダルＰ、Ｐを交互に連続して踏み込みながら、前輪Ｆを回転、駆動させて自転車Ｊ８を前進させることができる。
【０１１０】
また、この実施の形態にかかる自転車Ｊ８にあっては、特に前記クランク３１’の他端３１’ａで前記第一、第二のチェーンＣ１’、Ｃ２’と当該クランク３１’とを前記分岐チェーンＣ３により連結させていることから、当該クランク３１’の中央部で当該クランク３１’と前記第一、第二のチェーンＣ１’、Ｃ２’とを連結させた場合に比べ、当該クランク３１’の下方への踏み込みに伴う当該第一、第二のチェーンＣ１’、Ｃ２’の走行量を大きくすることができる特長を有する。
【０１１１】
【発明の効果】
この発明にかかる自転車Ｊは、両端部にそれぞれフリーホイール２３、２３を備えた胴体２１およびこの胴体２１に差し込まれる車軸２２とを備えるハブ２０と、前輪Ｆを支持するホークＨに対して組み付けられ、かつ、上下方向に移動可能に備えられる一対のペダルＰ、Ｐと、このペダルＰの移動に伴って前記フリーホイール２３を回転させる伝達手段Ｄとを備え、前記それぞれのフリーホイール２３、２３が、前記ペダルＰの下方に向けた踏み込み動作に伴って前記前輪Ｆを自転車Ｊを前進させる向きに回転させ、かつ、前記ペダルＰの上方に向けた移動に伴って当該自転車Ｊの前輪Ｆを回転させない構成としてあることから、自転車Ｊの前輪Ｆ両側において前記ペダルＰを下方に踏み込むことにより、当該前輪Ｆを自転車Ｊを前進する向きに回転させて、自転車Ｊを前進させることができる。
【０１１２】
したがってまた、この発明にかかる自転車Ｊによれば、自転車Ｊを前進させるように駆動される前輪Ｆの両側に前記ペダルＰを備えさせ、かつ、この前輪Ｆ側に当該ペダルＰと前記フリーホイール２３とを連絡させる前記伝達手段Ｄを備えさせることができ、この結果、前輪Ｆと後輪との間隔を可能な限り狭めてコンパクトに自転車Ｊを構成させることができる。
【０１１３】
また、自転車Ｊを駐輪、運搬などするに際して、当該自転車Ｊの前輪Ｆと後輪とをさらに近接させるような構造を、比較的容易に当該自転車Ｊに適用することができる特長を有する。例えば、図３に示されるように、自転車Ｊのハンドルポスト１１を支持する前パイプ１２とシートポスト１３とを連結させる上パイプ１４に後輪Ｂを支持する後ホークＨを回動可能に組み付けておくことにより、図４に示されるように、自転車Ｊの駐輪などに際してかかる上パイプ１４と後ホークＨとの組み付け位置を中心に後輪Ｂと前輪Ｆが近接されるように、後ホークＨを回動させて自転車Ｊの長さ寸法を比較的簡易な構造をもって小さくすることができる。
【０１１４】
また、前輪Ｆの回転は、前記一対のペダルＰ、Ｐを下方に向けて踏み込むことによりなし得ることから、前輪Ｆと後輪Ｂの間に自転車Ｊの重心が位置されるようにサドルを位置付けても、当該前輪Ｆを回転させるためのペダルＰの操作に格別の不都合を生じさせることがなく、したがってまた、自転車Ｊの重心を前輪Ｆ側に偏らせることなく、安定的な走行が確保できるように前輪駆動式の自転車Ｊを構成できる特長を有する。
【図面の簡単な説明】
【図１】  自転車Ｊ１の前輪Ｆの側面図
【図２】  自転車Ｊ１の前輪Ｆの縦断面図
【図３】  自転車Ｊ１の側面図
【図４】  自転車Ｊ１の側面図
【図５】  自転車Ｊ１の要部拡大斜視図
【図６】  自転車Ｊ２の前輪Ｆの側面図
【図７】  自転車Ｊ２の前輪Ｆの側面図
【図８】  自転車Ｊ３の前輪Ｆの側面図
【図９】  自転車Ｊ４の前輪Ｆの縦断面図
【図１０】  自転車Ｊ４の要部拡大斜視図
【図１１】  自転車Ｊ５の前輪Ｆの側面図
【図１２】  自転車Ｊ６の前輪Ｆの側面図
【図１３】  自転車Ｊ７の前輪Ｆの側面図
【図１４】  自転車Ｊ８の前輪Ｆの側面図
【図１５】  自転車Ｊ８の前輪Ｆの側面図
【符号の説明】
Ｊ  自転車
Ｆ  前輪
Ｈ  ホーク
Ｐ  ペダル
Ｄ  伝達手段
２０  ハブ
２１  胴体
２２  車軸
２３  フリーホイール
【図１】
0003791957.tif 000002
【図２】
0003791957.tif 000003
【図３】
0003791957.tif 000004
【図４】
0003791957.tif 000005
【図５】
0003791957.tif 000006
【図６】
0003791957.tif 000007
【図７】
0003791957.tif 000008
【図８】
0003791957.tif 000009
【図９】
0003791957.tif 000010
【図１０】
0003791957.tif 000011
【図１１】
0003791957.tif 000012
【図１２】
0003791957.tif 000013
【図１３】
0003791957.tif 000014
【図１４】
0003791957.tif 000015
【図１５】
0003791957.tif 000016